(57)【特許請求の範囲】
【請求項１】
下記（１）〜（４）の工程からなることを特徴とする中空管内周面への防食材の施工方法。
（１）中空管外周面に取手を溶接し、その周囲を溶断して取手を含む取手部を除去することにより上部入口及び下部出口をそれぞれ設けた後、該中空管内周面をケレンする工程、
（２）上記入口より錘を付した外部突起を有する膜状袋体を挿入し、該袋体内に注入口より空気又は液体の発泡スチロールを注入し、該袋体を膨張させた後、該注入口を封止する工程、
（３）上記出口にフィルターを設け、上記入口より防食材を上記中空管内周面と膨張した上記袋体との間に圧気注入する工程、
（４）上記入口及び出口に、上記取手部を嵌合して溶接した後、上記取手を溶断して上記入口及び出口を閉塞させる工程。
【請求項２】
下記の工程（ａ）〜（ｆ）からなることを特徴とする中空管内周面への防食材の再施工方法。
（ａ）中空管外周面に取手を溶接し、その周囲を溶断して取手を含む取手部を除去することにより上部入口及び下部出口をそれぞれ設ける工程、
（ｂ）膨張した外部突起を有する膜状袋体を破断させ、該袋体内の空気を抜き、該袋体を上記入口より取り出す工程、
（ｃ）上記出口にフィルターを設けた後、上記中空管内周面をケレンし、固結した防食材を掻き落とし、上記出口より該防食材を回収する工程、
（ｄ）上記入口より錘を付した外部突起を有する膜状袋体を挿入し、該袋体内に注入口より空気又は液体の発泡スチロールを注入し、該袋体を膨張させた後、該注入口を封止する工程、
（ｅ）上記出口にフィルターを設け、上記入口より防食材を上記中空管内周面と膨張した上記袋体との間に圧気注入する工程、
（ｆ）上記入口及び出口に、上記取手部を嵌合して溶接した後、上記取手を溶断して上記入口及び出口を閉塞させる工程。
【請求項３】
下記の工程（ｉ）〜（ｖ）からなることを特徴とする中空管内周面への防食材の再施工方法。
（ｉ）中空管外周面に取手を溶接し、その周囲を溶断して取手を含む取手部を除去することにより上部入口及び下部出口をそれぞれ設ける工程、
（ii）上記出口にフィルターを設けた後、上記中空管内周面をケレンし、固結した防食材及び発泡した発泡スチロールを掻き落とし、上記出口より該防食材及び該発泡スチロールを回収する工程、
（iii）上記入口より錘を付した外部突起を有する膜状袋体を挿入し、該袋体内に注入口より空気又は液体の発泡スチロールを注入し、該袋体を膨張させた後、該注入口を封止する工程、
（iv）上記出口にフィルターを設け、上記入口より防食材を上記中空管内周面と膨張した上記袋体との間に圧気注入する工程、
（ｖ）上記入口及び出口に、上記取手部を嵌合して溶接した後、上記取手を溶断して上記入口及び出口を閉塞させる工程。
【請求項４】
上記防食材が、パーライトと亜鉛粉末との混合粉末であり、粉末状又はスラリ状で用いられる請求項１、２又は３記載の中空管内周面への防食材の施工及び再施工方法。
【発明の詳細な説明】
【０００１】
【発明の属する技術分野】
本発明は中空管内周面への防食材の施工及び再施工方法に関する。
【０００２】
【従来の技術及び発明が解決しようとする課題】
港湾部のプラツトホームや橋梁の橋桁等に用いられている鋼管杭等の中空管は、大気中又は水中の腐食環境下に曝露されており、特に飛沫干満帯付近では激しい腐食を生じ易い。
【０００３】
このような鋼管杭等の中空管を防食する方法としては、中空管の周囲にペトロラタム系等の防食材を被覆することが提案され、また実施されている。しかし、中空管の長期防錆という観点からは、必ずしも充分な防食手段とは言い難い。
【０００４】
また、中空管内面に防食材を充填することにより、中空管の防食を達成することも提案されているが、この防食手段は、中空管の重量化を招き、またコスト面からも問題がある。
【０００５】
従って、本発明の目的は、軽量化が図られ、工程が簡便で、かつ安価な中空管内周面への防食材の施工及び再施工方法を提供することにある。
【０００６】
【課題を解決するための手段】
本発明者らは、検討の結果、下記工程を採用することによって、上記目的が達成し得ることを知見した。
【０００７】
本発明は、上記知見に基づきなされたもので、下記（１）〜（４）の工程からなることを特徴とする中空管内周面への防食材の施工方法を提供するものである。
（１）中空管外周面に取手を溶接し、その周囲を溶断して取手を含む取手部を除去することにより上部入口及び下部出口をそれぞれ設けた後、該中空管内周面をケレンする工程、
（２）上記入口より錘を付した外部突起を有する膜状袋体を挿入し、該袋体内に注入口より空気又は液体の発泡スチロールを注入し、該袋体を膨張させた後、該注入口を封止する工程、
（３）上記出口にフィルターを設け、上記入口より防食材を上記中空管内周面と膨張した上記袋体との間に圧気注入する工程、
（４）上記入口及び出口に、上記取手部を嵌合して溶接した後、上記取手を溶断して上記入口及び出口を閉塞させる工程。
【０００８】
また、本発明は、下記の工程（ａ）〜（ｆ）からなることを特徴とする中空管内周面への防食材の再施工方法を提供するものである。
（ａ）中空管外周面に取手を溶接し、その周囲を溶断して取手を含む取手部を除去することにより上部入口及び下部出口をそれぞれ設ける工程、
（ｂ）膨張した外部突起を有する膜状袋体を破断させ、該袋体内の空気又は発泡した発泡スチロールを抜き、該袋体を上記入口より取り出す工程、
（ｃ）上記出口にフィルターを設けた後、上記中空管内周面をケレンし、固結した防食材を掻き落とし、上記出口より該防食材を回収する工程、
（ｄ）上記入口より錘を付した外部突起を有する膜状袋体を挿入し、該袋体内に注入口より空気又は液体の発泡スチロールを注入し、該袋体を膨張させた後、該注入口を封止する工程、
（ｅ）上記出口にフィルターを設け、上記入口より防食材を上記中空管内周面と膨張した上記袋体間とのに圧気注入する工程、
（ｆ）上記入口及び出口に、上記取手部を嵌合して溶接した後、上記取手を溶断して上記入口及び出口を閉塞させる工程。
【０００９】
さらに、本発明は、下記の工程（ｉ）〜（ｖ）からなることを特徴とする中空管内周面への防食材の再施工方法を提供するものである。
（ｉ）中空管外周面に取手を溶接し、その周囲を溶断して取手を含む取手部を除去することにより上部入口及び下部出口をそれぞれ設ける工程、
（ii）上記出口にフィルターを設けた後、上記中空管内周面をケレンし、固結した防食材及び発泡した発泡スチロールを掻き落とし、上記出口より該防食材及び該発泡スチロールを回収する工程、
（iii）上記入口より錘を付した外部突起を有する膜状袋体を挿入し、該袋体内に注入口より空気又は液体の発泡スチロールを注入し、該袋体を膨張させた後、該注入口を封止する工程、
（iv）上記出口にフィルターを設け、上記入口より防食材を上記中空管内周面と膨張した上記袋体との間に圧気注入する工程、
【００１０】
【発明の実施の形態】
以下、本発明の実施の形態について、図面を参照しつつ説明する。
先ず、本発明の中空管内周面への防食材の施工方法を説明する。図１〜１１は、それぞれ本発明の中空管内周面への防食材の施工方法の各々の工程を説明する状態図である。
【００１１】
＜工程（１）＞
図１に示されるように、本発明の施工方法では、中空管１外周面に取手２を溶接する。ここでいう中空管とは、特に港湾部のプラツトホームや橋梁の橋桁等に用いられている既設の鋼管杭等であるが、これらに限定されず、腐食環境下にある中空管すべてが対象となる。また、取手２は、後述するように上部入口及び下部出口を設けるために、少なくとも２つは必要である。
【００１２】
次に、図２に示されるように、取手２の周囲を溶断して取手部３を除去し、上部入口部４及び下部出口部５を設ける。なお、この取手２を有する取手部３は、後述するように再度使用するので保管しておく必要がある。
【００１３】
次いで、図３のように、中空管１に設けられた上部入口４よりケレン用ブラシ６等を挿入し、中空管１内周面をケレン（素地調整）し、下部出口５より錆７等を除去する。
【００１４】
＜工程（２）＞
図４のように、中空管１の上部入口４より中空管内に、錘８を付した外部突起を有する膜状袋体９を挿入する。この膜状袋体９には注入口１０が設けられている。この膜状袋体９は、可撓性を有する材料からなり、例えば天然ゴム等のゴム状物質が用いられる。
【００１５】
次に、図５のように、膜状袋体９の注入口１０より空気、好ましくは圧縮空気を注入して膜状袋体９を膨張させるか、あるいは該注入口より液体の発泡スチロールを注入して該袋体中の空気により該液体の発泡スチロールを発泡させることにより該袋体を膨張させる。この場合に、空気を注入して膜状袋体９を膨張ざると、経時的に膜状袋体９より空気が漏れ、中空管１の内周面と膨張した膜状袋体９との間に充填されている後述する防食材が剥離、滑落する恐れがあるので、液体の発泡スチロールを注入することがより好ましい。さらに、図６のように、注入口１０をゴム、ひも等の封止手段１１で封止する。膨張した膜状袋体９は、錘８の重さで中空管１内に垂下し、また膜状袋体９の外部突起によって、中空管１内周面と接合し、中空管１内に保持される。
【００１６】
＜工程（３）＞
図７に示されるように、中空管１の下部出口５にフィルター１２を設ける。次に、図８のごとく、中空管１の上部入口４より防食材１３を圧気注入する。圧縮空気は、中空管１の下部出口５に設けられたフィルター１２により吸引される。このようにして、図９に示されるように、中空管１の内周面と膨張した膜状袋体９との間に防食材１３が充填される。
【００１７】
ここで用いられる防食材１３は、任意であるが、パーライトと亜鉛粉末との混合粉末が、防食効果が高く、軽量で、かつ安価であることから好ましい。また、この防食材は、粉末状で用いても、スラリー状で用いてもよい。
【００１８】
＜工程（４）＞
図１０に示されるように、中空管１の上部入口部４及び下部出口部５に、保管してあった取手２を有する取手部３をそれぞれ嵌合し、溶接を行う。次に、図１１のように、中空管１の取手部３より取手２を溶断する。
【００１９】
上記工程（１）〜（４）の工程によって、本発明の中空管内周面への防食材の施工方法がなされる。
【００２０】
次に、本発明の中空管内周面への防食材の第１の再施工方法を説明する。図１１〜１８は、それぞれ本発明の中空管内周面への防食材の再施工方法の各々の工程を説明する状態図である。この第１の再施工方法は、膜状袋体内が空気により膨張されている場合の再施工方法である。
【００２１】
＜工程（ａ）＞
図１１に示されるような中空管１内周面と膨張した膜状袋体９の間に防食材１３が充填された中空管１外周面の取手部３に、図１２のように、取手２を溶接する。なお、ここにおいて防食材１３は、長期に充填されているため固結している。
【００２２】
次に、図１３に示されるように、取手２の周囲を溶断して取手部３を除去し、上部入口部４及び下部出口部５を設ける。なお、この取手２を有する取手部３は、再度使用するので保管しておく必要がある。
【００２３】
＜工程（ｂ）＞
図１４に示されるように、中空管１の上部入口部４より破断手段１４によって、膨張した膜状袋体９を破断させ、膜状袋体９の空気を抜く。破断手段としては、針、ピン等である。次に、図１５に示されるように、収縮した膜状袋体９を上部入口４より取り出す。
【００２４】
＜工程（ｃ）＞
図１６に示されるように、中空管１の下部出口５にフィルター１２を設ける。次に、図１７のように、中空管１の上部入口４よりケレン用ブラシ６等を挿入し下部出口５に設けられたフィルター１２で吸引しつつ、中空管１内周面をケレンし、固結した防食材を掻き落とす。そして、図１８のように、中空管１の下部出口５にハンディクリーナー等の吸引手段１５を挿入し、掻き落とされた防食材を回収する。
【００２５】
＜工程（ｄ）〜（ｆ）＞
工程（ｄ）〜（ｆ）は、上記工程（２）〜（４）と同一である。
【００２６】
次に、本発明の中空管内周面への防食材の第２の再施工方法を説明する。この第２の再施工方法は、膜状袋体内が発泡した発泡スチロールにより膨張されている場合の再施工方法である。
【００２７】
この場合には、第１の再施工方法の上記工程（ｂ）は不要であり、上記工程（ｃ）において、固結した防食材と共に、発泡した発泡スチロールをケレンによって掻き落とす。その他は、第１の再施工方法と同様である。
【００２８】
上記工程（ａ）〜（ｆ）又は上記工程（ｉ）〜（ｖ）の工程によって、本発明の中空管内周面への防食材の再施工方法がなされる。
【００２９】
上述した本発明の中空管内周面への防食材の施工及び再施工方法によって、腐食環境下にある鋼管杭等の中空管の防食が長期に亘って、簡便、かつ安価になされる。また、中空管内すべてに防食材を充填しないために軽量化が図れ、特に防食材としてパーライトと亜鉛粉末との混合粉末を用いることによって一層の軽量化及びコストの低減が図れる。
【００３０】
【発明の効果】
本発明の施工及び再施工方法により、工程が簡便で、かつ安価に中空管内周面への防食材の施工及び再施工をすることができる。
【図面の簡単な説明】
【図１】図１は、中空管外周面に取手を溶接する状態を示す斜視図である。
【図２】図２は、中空管外周面の取手部を溶断し、上方入口及び下方出口を設けた状態を示す斜視図である。
【図３】図３は、中空管内周面をケレンする状態を示す部分透視図である。
【図４】図４は、中空管内に、錘を付した外部突起を有する膜状袋体を挿入した状態を示す部分透視図である。
【図５】図５は、中空管内に挿入された膜状袋体内に、注入口より空気又は液体の発泡スチロールを注入し、該袋体を膨張させた状態を示す切り欠き図である。
【図６】図６は、中空管内で膨張させた膜状袋体の注入口を封止した状態を示す切り欠き図である。
【図７】図７は、中空管の下方出口にフィルターを設けた状態を示す斜視図である。
【図８】図８は、中空管の上方入口より防食材を圧気注入した状態を示す斜視図である。
【図９】図９は、中空管内周面と膨張した上記膜状袋体との間に、防食材が充填された状態を示す切り欠き図である。
【図１０】図１０は、中空管外周面の上方入口及び下方出口に、取手部を嵌合して溶接した状態を示す斜視図である。
【図１１】図１１は、中空管外周面の取手部の取手を溶断した状態を示す切り欠き図である。
【図１２】図１２は、中空管外周面の取手部に取手を溶接した状態を示す斜視図である。
【図１３】図１３は、中空管外周面の取手部を溶断し、上方入口及び下方出口を設けた状態を示す斜視図である。
【図１４】図１４は、中空管内の膨張した膜状袋体を破断させた状態を示す切り欠き図である。
【図１５】図１５は、中空管内の破断し、収縮した膜状袋体を、上部入口より取り出す状態を示す切り欠き図である。
【図１６】図１６は、中空管の下方出口にフィルターを設けた状態を示す切り欠き図である。
【図１７】図１７は、中空管内をケレンして防食材を掻き落とす状態を示す部分透視図である。
【図１８】図１８は、中空管の下方出口より吸引手段によって防食材を吸引する状態を示す部分透視図である。
【符号の説明】
１：中空管
２：取手
３：取手部
４：上方入口
５：下方出口
６：ケレン用ブラシ
７：錆
８：錘
９：外部突起を有する膜状袋体
１０：封入口
１１：封止手段
１２：フィルター
１３：防食材
１４：破断手段
１５：吸引手段
【図１】
0003884992.tif 000002
【図２】
0003884992.tif 000003
【図３】
0003884992.tif 000004
【図４】
0003884992.tif 000005
【図５】
0003884992.tif 000006
【図６】
0003884992.tif 000007
【図７】
0003884992.tif 000008
【図８】
0003884992.tif 000009
【図９】
0003884992.tif 000010
【図１０】
0003884992.tif 000011
【図１１】
0003884992.tif 000012
【図１２】
0003884992.tif 000013
【図１３】
0003884992.tif 000014
【図１４】
0003884992.tif 000015
【図１５】
0003884992.tif 000016
【図１６】
0003884992.tif 000017
【図１７】
0003884992.tif 000018
【図１８】
0003884992.tif 000019